(57)【要約】      （修正有）【課題】離型紙を剥ぎ取る作業が容易であるとともに、研磨終了後に使用済みの研磨シートを効率よく剥ぎ取ることができる離型紙付き研磨シートを提供する。【解決手段】表面に砥粒層を有する研磨シート１１の裏面に粘着層１４を介して離型紙１５を貼付して離型紙付き研磨シートを形成する。前記研磨シートは、研磨シート本体と該研磨シート本体の周縁部の一部から外側に突出した第一の摘み片１７ａとを含み、前記離型紙は、離型紙本体と該離型紙本体の周縁部の一部から外側に突出した第二の摘み片１６とを含む。【選択図】図４
0003171961.tif 000002
【実用新案登録請求の範囲】
【請求項１】
表面に砥粒層を有する研磨シートの裏面に粘着層を介して離型紙が貼付されて成る離型紙付き研磨シートであって、
前記研磨シートが、研磨シート本体と該研磨シート本体の周縁部の一部から外側に突出した第一の摘み片とを含み、
前記離型紙が、離型紙本体と該離型紙本体の周縁部の一部から外側に突出した第二の摘み片とを含む、
ことを特徴とする離型紙付き研磨シート。
【請求項２】
さらに、前記研磨シートと前記離型紙が同一の平面形状を有して重なり合っており、
前記研磨シートが、前記研磨シート本体と突出部分とから成り、
前記突出部分が、前記第一の摘み片と外側の摘み片とから成り、
前記突出部分が、前記第一の摘み片と前記外側の摘み片を画成する切れ目筋であって前記外側の摘み片を分離するための切れ目筋を有する、
ことを特徴とする、請求項１に記載された離型紙付き研磨シート。
【請求項３】
さらに、前記研磨シート本体と前記離型紙本体が同一の平面形状を有して重なり合っており、
前記第一の摘み片と前記第二の摘み片が重なっており、
前記第一の摘み片が前記第二の摘み片よりも小さい、
ことを特徴とする請求項１に記載された離型紙付き研磨シート。
【考案の詳細な説明】
【技術分野】
【０００１】
本考案は、光ファイバー接続端面等を研磨するための、研磨定盤等に貼り付けて使用される研磨シートに関する。具体的には、表面に砥粒層を有する研磨シートの裏面に粘着層を介して離型紙が貼付されて成る離型紙付き研磨シートであって、離型紙を粘着層から容易に剥離することができ、且つ研磨シートを研磨定盤から容易に剥離することができるよう離型紙と研磨シートの各々に摘み片を有する離型紙付き研磨シートに関する。
【背景技術】
【０００２】
通信用光ファイバーは、コネクタの主要部材であるフェルールの中心孔にファイバーを接着固定した後、光ファイバー接続端面を形成するフェルール部とファイバー部とを同時に平滑に研磨し、鏡面仕上げして使用される。この鏡面仕上げしたフェルール及びファイバーの研磨面が、フェルールの中心軸と垂直な面になかったり、研磨面に傷があったり、あるいは、異物が付着していたりすると、フェルール同士が対向して接続される光ファイバーコネクタにおいて、接続損失が大きくなってしまう。そのため、光ファイバーを含むフェルールの端面は高精度に研磨仕上げされる必要がある。
【０００３】
従来、光ファイバー接続端面の研磨は、円形の研磨定盤の上に研磨シートを貼り付け、複数の光ファイバー端面を治具に配置し、回転揺動する研磨定盤上の研磨シートに押圧することにより行われてきた。特開２０００−２９６４５１公報（特許文献１）及び特開２０００−３５４９４４公報（特許文献２）に記載されているように、研磨シートを貼付された研磨定盤は、公転軸を中心とする公転運動と自転軸を中心とする自転運動とを組み合わせた運動を行うことができる。図９に示されているとおり、公転軸に対して自転軸はＲ（Ｐから破線までの距離）だけ偏心しており、このような研磨定盤による研磨軌跡は、研磨軌跡２５として示されているように、連続的な円形状となる。
【０００４】
研磨定盤に貼り付けられる研磨シートとしては、従来、プラスチックフィルムの表面に研磨砥粒を樹脂バインダーで固定し、裏面に粘着層を介して離型紙を貼り付けたものが使用されてきた。このような離型紙付きの研磨シートは、離型紙を剥ぎ取って研磨に使用されるものである。
【０００５】
離型紙を剥ぎ取る作業は、概して、作業者の手袋をはめたままの指先によって行われてきた。このため従来、研磨に使用する前に離型紙を容易に剥ぎ取るために、研磨紙の周縁の一部に摘み片を一体に形成し、摘み片と研磨紙本体との境部分に、裏面の離型紙に達しないで研磨板の厚みだけに切れ目筋を施した摘み片付き研磨紙が提案された（実開昭５８−１８１４５２号公報：特許文献３）。
【先行技術文献】
【特許文献】
【０００６】
【特許文献１】特開２０００−２９６４５１公報
【特許文献２】特開２０００−３５４９４４公報
【特許文献３】実開昭５８−１８１４５２号公報
【考案の概要】
【考案が解決しようとする課題】
【０００７】
離型紙を剥ぎ取った後、研磨シートは粘着層を介して、円形の金属研磨定盤、又はその上に配置されたゴム等の弾性板に貼り付けられて研磨に使用される。その後、複数の光ファイバー端面を一定荷重で研磨シートの表面に押圧し、その状態で研磨定盤が自転・公転運動して光ファイバー端面が鏡面仕上げされる。研磨終了後は、研磨シートは研磨定盤から剥離され、新しい研磨シートと交換される必要がある。光ファイバー端面研磨においては、大量の数を研磨するために、研磨シートの交換作業を頻繁に行う必要がある。
【０００８】
しかしながら、上記従来技術の摘み片付き研磨紙では、それが摘み片と研磨紙本体との境部分に切れ目筋を施しているため、研磨シートに摘み片がなく、研磨終了後に研磨シートを剥離する作業が容易ではなかった。すなわち、研磨シートを剥離するために、研磨シートと金属研磨定盤又は弾性ゴム板との接着面に指の爪や先端が薄く鋭角なヘラ等を挿入しなくてはならず、作業工数の増加となっていた。また、多数回に渡って剥離作業を繰り返すうちに、定盤又は弾性ゴム板の表面に傷を付けてしまうという問題もあった。
【０００９】
本考案は、上記の問題に鑑み、光ファイバーコネクタ端面等を研磨するために円形研磨定盤に貼り付けて使用される研磨シートにおいて、離型紙を剥ぎ取る作業が容易であるとともに、研磨終了後に使用済みの研磨シートを効率よく剥ぎ取って交換することができる離型紙付き研磨シートを提供することを目的とする。
【課題を解決するための手段】
【００１０】
上記課題を解決する本考案に係る離型紙付き研磨シートは、表面に砥粒層を有する研磨シートの裏面に粘着層を介して離型紙が貼付されて成り、研磨シートが、研磨シート本体と該研磨シート本体の周縁部の一部から外側に突出した第一の摘み片とを含み、離型紙が、離型紙本体と該離型紙本体の周縁部の一部から外側に突出した第二の摘み片とを含むことを特徴とする。このように離型紙付き研磨シートを構成することにより、離型紙を研磨シートから剥離すること及び研磨シートを定盤等から剥離することが容易になり、離型紙及び研磨シートの剥離に係る作業性が大幅に向上し、正確な作業を行うことができる。
【００１１】
さらに、本考案に係る離型紙付き研磨シートは、研磨シートと離型紙が同一の平面形状を有して重なり合っており、研磨シートが、研磨シート本体と突出部分とから成り、該突出部分が、第一の摘み片と外側の摘み片とから成り、且つ突出部分が、第一の摘み片と外側の摘み片を画成する切れ目筋であって外側の摘み片を分離するための切れ目筋を有することを特徴とする。このように構成することにより、研磨シートの突出部分の外側の摘み片と離型紙の摘み片（第二の摘み片）とを一緒に摘んで離型紙を容易に剥離することができ、離型紙を剥離した後の研磨シートにも摘み片（第一の摘み片）を形成することができる。
【００１２】
また、上記のような構成を有する離型紙付き研磨シートは、製造工程において、突出部分を含む研磨シートと第二の摘み片を含む離型紙とを含む離型紙付き研磨シートを、一工程で打ち抜き成形することができるため、加工費用を低減できるものである。
【００１３】
さらに、本考案に係る離型紙付き研磨シートは、研磨シート本体と離型紙本体が同一の平面形状を有して重なり合っており、第一の摘み片と第二の摘み片が重なっており、第一の摘み片が第二の摘み片よりも小さいことを特徴とする。このようにすることで、第二の摘み片と第一の摘み片の区別がより明確になり、離型紙の剥ぎ取りが容易になる。
【考案の効果】
【００１４】
上記のとおり、本考案に係る離型紙付き研磨シートは、離型紙本体の周縁部の一部に摘み片が突出して一体的に形成されているので、裏面の離型紙を剥ぎ取る際、作業時に手袋をしたままでも指先で摘み易く、また、研磨シート本体の周縁部の一部に摘み片が突出して一体的に形成されているので、使用後交換するために研磨シートを研磨定盤等から容易引き剥がすことができ、爪やヘラ等を差し込む作業を要しない。
【００１５】
また、研磨シート（及び粘着層）の突出部分に、研磨シートの摘み片（第一の摘み片）と外側の摘み片を画成する切れ目筋が形成され、該切れ目筋は離型紙には達していないため、研磨シートの摘み片（第一の摘み片）を研磨シート本体の周縁部の一部に残したまま、分離可能な外側の摘み片と離型紙の摘み片（第二の摘み片）とを摘んで、容易に離型紙を引き剥がすことができる。
【００１６】
さらに、本考案の摘み片を有する離型紙付き研磨シートは、研磨シートの裏面に粘着層を介して離型紙を貼り付けた幅広の原反から、研磨シート（及び粘着層）の本体及び突出部分と、離型紙の本体及び摘み片とを一度で打ち抜き成型し、研磨シート（及び粘着層）の突出部分のみに切れ目筋を形成する加工（キスカット加工）を施すことにより製造できるため、品質を向上しながら加工費用を低減することができる。
【図面の簡単な説明】
【００１７】
【図１】図１は本考案のひとつの態様の離型紙付き研磨シートを模式的に示す平面図である。
【図２】図２は図１のＡ−Ａ断面図である。
【図３】図３は本考案のひとつの態様の離型紙付き研磨シートを模式的に示す底面図である。
【図４】図４は図３において離型紙を一部剥離した状態を示す底面図である。
【図５】図５は本考案のひとつの態様の離型紙を剥離した研磨シートを研磨定盤に貼付した状態を模式的に示す平面図である。
【図６】図６は光ファイバー接続端面を研磨する状態を模式的に示す断面図である。
【図７】図７は本考案の他の態様の離型紙付き研磨シートを模式的に示す平面図である。
【図８】図８は本考案のさらに他の態様の離型紙付き研磨シートを模式的に示す平面図である。
【図９】図９は研磨定盤の自転・公転運動による研磨軌跡を概略的に示す平面図である。
【考案を実施するための形態】
【００１８】
以下、添付図面を参照して本考案の好ましい実施例を説明する。本考案に係る離型紙付き研磨シートのひとつの態様が図１ないし図４に模式的に示されている。
【００１９】
本考案に係るひとつの態様の離型紙付き研磨シート１０は好適に、表面に砥粒層を有する研磨シート１１、粘着層１４、及び離型紙１５とから成る積層体である。
【００２０】
図１及び図２に示されているとおり、研磨シート１１（及び粘着層１４）は、好適に平面形状が円形である本体１１ａと該本体１１ａの周縁部の一部から外側に突出した突出部分１７とから成る。好適に突出部分１７には切れ目筋１８が形成され、研磨シート１１の摘み片１７ａと外側の摘み片１７ｂを画成している。外側の摘み片１７ｂは、切れ目筋１８により分離可能である。切れ目筋１８は、研磨シート１１（及び粘着層１４）のみに形成され、離型紙１５には形成されない。
【００２１】
また、図３に示されているとおり、離型紙１５は、好適に平面形状が円形である本体１５ａと該本体１５ａの周縁部の一部から外側に突出した離型紙１５の摘み片１６とから成る。
【００２２】
図４には、本考案のひとつの態様の離型紙付き研磨シート１０において、離型紙１５を一部引き剥がした状態が示されている。研磨シート１１の外側の摘み片１７ｂと離型紙１５の摘み片１６とを一緒に摘み、めくるように引っ張ることによって、離型紙１５を研磨シート１１（粘着層１４）から容易に引き剥がすことができる。離型紙１５を剥離すると粘着層１４が現われ、研磨シート１１の本体１１ａには該本体１１ａと一体的な摘み片１７ａが残される。
【００２３】
このような離型紙付き研磨シート１０は、少なくとも摘み片１７ａを有する研磨シート１１と摘み片１６を有する離型紙１５とを各々成形して重ね合わせることにより製造することができる。このように製造された離型紙付き研磨シート１０の研磨シート１１の摘み片１７ａと離型紙１５の摘み片１６は、重なり合っていてもいなくてもよく、平面形状が同じでも異なっていてもよい。
【００２４】
好適には、離型紙付き研磨シート１０は、研磨シート１１、粘着層１４及び離型紙１５から成る幅広の原反から、突出部分１７を含む研磨シート１１（及び粘着層１４）と摘み片１６を含む離型紙１５とを一体に成形し且つ離型紙１５に達しない切れ目筋１８を形成する打ち抜き型によって、一工程で製造される。
【００２５】
離型紙付き研磨シート１０を一工程で製造する場合、突出部分１７及び摘み片１６は、重なり合った円形の研磨シート１１の本体１１ａ及び離型紙１５の本体１５ａの周縁部の同一箇所に形成される。摘み片又は突出部分の平面形状は、円弧状、四角形、台形等が使用可能である。剥離作業や研磨作業に支障がない円弧状や四角形、台形の角部を丸くした形状が好ましい。
【００２６】
摘み片１６の寸法は、本体周縁部からの突出長さが１０ｍｍ〜１５ｍｍ、幅が１０ｍｍ〜２０ｍｍの範囲にあり、作業者が指先で容易に摘める範囲にあることが好ましい。必要以上に寸法を大きくすると、打ち抜き成形による外周部の材料損失が多くなるので好ましくない。
【００２７】
また、一工程で製造する場合、突出部分１７の平面形状、寸法は、摘み片１６と同じであり、摘み片１７ａの寸法は、摘み片１６よりも小さくなるように成形される。摘み片１７ａの突出長さは、研磨シート１１の本体１１ａの周縁部から最大で３ｍｍ〜５ｍｍ、幅が本体周縁部の直近で１０ｍｍ〜２０ｍｍの範囲にあり、摘み片１７ａの外周縁部が円弧状となるよう形成されることが好ましい。
【００２８】
研磨シート１１の本体１１ａ及び離型紙１５の本体１５ａは、例えば、光ファイバーコネクタ研磨装置において使用されるために、直径１２５ｍｍ（５インチ）の円形に打ち抜き成形されてよい。
【００２９】
図５には、離型紙が剥離されて研磨定盤に貼付された状態の摘み片１７ａを有する研磨シート１１が示されている。この状態の研磨シート１１が光ファイバーの接続端面の研磨に使用される。
【００３０】
図６には、研磨シート１１を使用して光ファイバー接続端面を研磨する状態が模式的に示されている。研磨シート１１は、円形の研磨定盤２０又はその上に弾性シート１９を敷いた上に粘着層１４を介して貼付され、このとき摘み片１７ａは、研磨定盤２０又は弾性シート１９の周縁部の外側に突出して位置する。
【００３１】
フェルール２３の中心にファイバー２２を接着固定した光ファイバーコネクタ２１の端面研磨は、光ファイバーコネクタ２１の端面を研磨シート１１に一定荷重で押付け、液体供給ノズル２４から水又は潤滑液を供給しながら、研磨定盤２０の自転、公転の組合せによる運動を行うことによって行われる。
【００３２】
研磨終了後、研磨シート１１は、円形の研磨定盤２０又は弾性シート１９の周縁部から突出した摘み片１７ａを摘むことにより容易に引き剥がして交換することができる。
【００３３】
研磨シート１１は好適に、基材シート１３の上に砥粒層１２が形成されて成り、基材シート１３としては、プラスチックフィルムであって、例えば、ポリエチレンテレフタレート、ポリブチレンテレフタレート、ポリエチレンナフタレート等のポリエステル系樹脂、ポリエチレン、ポリプロピレン等のポリオレフィン系樹脂からなるフィルムを使用することができる。実用的には、取り扱いが容易であるため、ポリエチレンテレフタレートからなるプラスチックフィルムが使用される。
【００３４】
砥粒層１２は、基材シート１３の上に、研磨砥粒（例えば、ダイヤモンド、酸化セリウム、アルミナ、シリカ等）を樹脂バインダーに分散した溶液を塗布、乾燥することにより形成される。
【００３５】
表面に砥粒層１２を有する研磨シート１１の裏面の粘着層１４は、基材シート１３の砥粒層１２が形成された反対側の面に(メタ)アクリル系樹脂を塗布して形成されてよく、またラミネート加工により粘着フィルム貼付して形成されてもよい。粘着層１４としては、研磨終了後に研磨シート１１を研磨定盤２０又は弾性シート１９から剥離する際に、研磨定盤２０又は弾性シート１９側に付着物が残らないものを使用することが好ましい。
【００３６】
離型紙１５としては紙類又はプラスチックフィルムが使用され、離型紙１５側に粘着層１４が転写されないように表面処理を施すことが好ましい。表面処理として、離型紙１５の表面に、シリコーン系樹脂、フッ素系樹脂等の離型性の良い離型剤を塗布することが好ましい。
【００３７】
図７には、本考案の他の態様の離型紙付き研磨シート１０が模式的に示されている。このように、切れ目筋１８が直線状に形成されることにより、打ち抜き刃の形状が簡単になるという利点がある。
【００３８】
また、図８には、本考案のさらに他の態様の離型紙付き研磨シート１０が模式的に示されている。該離型紙付き研磨シートにおいては、研磨シート１１（及び粘着層１４）の本体１１ａと離型紙１５の本体１５ａとが重なり合っており、摘み片１７ａと摘み片１６が重なっており、摘み片１７ａが摘み片１６よりも小さく形成されている。このような離型紙付き研磨シート１０は、図１ないし図４に示されている本考案のひとつの態様の離型紙付き研磨シート１０を打ち抜き形成したあと、突出部分１７の外側の摘み片１７ｂを切れ目筋１８から分離し除去することにより形成してもよい。この態様では、研磨シートの摘み片１７ａと離型紙の摘み片１６との区別がより明確になり、離型紙の剥ぎ取りが容易になるという利点がある。
【００３９】
本考案に係る離型紙付き研磨シートは、光ファイバーの端面研磨以外にも、研磨シートを研磨定盤に貼り付けることにより研磨を行うレンズ研磨、単結晶部品、セラミック部品等の研磨にも有効である。
【００４０】
以上、添付図面を参照して本考案の好ましい実施態様を説明したが、本考案は上述した実施態様に限られることなく、実用新案登録請求の範囲の記載から把握される技術的範囲において種々の態様に変更可能である。
【符号の説明】
【００４１】
１０  離型紙付き研磨シート
１１  研磨シート
１１ａ  研磨シート本体
１２  砥粒層
１３  基材シート
１４  粘着層
１５  離型紙
１５ａ  離型紙本体
１６  離型紙の摘み片
１７ａ  研磨シートの摘み片
１７ｂ  外側の摘み片
１７  研磨シートの突出部分
１８  切れ目筋
１９  弾性シート
２０  研磨定盤
２１  光ファイバーコネクタ
２２  光ファイバー
２３  フェルール
２４  液体供給ノズル
２５  研磨軌跡
【図１】
0003171961.tif 000003
【図２】
0003171961.tif 000004
【図３】
0003171961.tif 000005
【図４】
0003171961.tif 000006
【図５】
0003171961.tif 000007
【図６】
0003171961.tif 000008
【図７】
0003171961.tif 000009
【図８】
0003171961.tif 000010
【図９】
0003171961.tif 000011